(57)【要約】【課題】共通の乗降室に対して複数の操作盤が存在する場合に、車庫装置内に人が取り残された状態で入出庫扉が閉じられてしまうことを防止して安全に運行することのできる機械式立体駐車場及びその制御方法を提供することを目的とする。【解決手段】機械式立体駐車場１は、乗降室５へ車両を入庫させる入庫扉の近傍に設けられ、入庫処理時に操作される第１操作盤２０ａと、第１操作盤２０ａとは異なる場所に設けられ、乗降室５への車両の入庫処理時に操作される第２操作盤２０ｂと、入庫処理の進行状況に応じて、第１操作盤２０ａ及び第２操作盤２０ｂの操作有効及び操作無効を制御する操作盤機能制限部とを有する。【選択図】図２
2018123556.tif 000002
【特許請求の範囲】
【請求項１】
乗降室へ車両を入庫させる入庫扉の近傍に設けられ、入庫処理時に操作される第１操作盤と、
前記第１操作盤とは異なる場所に設けられ、前記乗降室への車両の入庫処理時に操作される第２操作盤と、
入庫処理の進行状況に応じて、前記第１操作盤及び前記第２操作盤の操作有効及び操作無効を制御する操作盤機能制限手段と
を具備する機械式立体駐車場。
【請求項２】
前記乗降室は、前記乗降室内と前記乗降室外との移動のために人が利用する少なくとも１つの通路扉を有し、
前記第２操作盤は、前記乗降室外であって、前記通路扉の近傍に設けられている請求項１に記載の機械式立体駐車場。
【請求項３】
前記操作盤機能制限手段は、前記乗降室の停止位置に車両が停止された後に、前記第１操作盤からの操作を無効とするとともに、前記第２操作盤からの操作を有効とする請求項２に記載の機械式立体駐車場。
【請求項４】
前記第１操作盤から第１の認証操作が行われた場合に、前記第１の認証操作で入力されたユーザ識別情報を用いてユーザ認証を行うユーザ認証手段と、
前記ユーザ認証手段によるユーザ認証が正常に完了した後に、前記入庫扉を開く開扉手段と、
前記乗降室の所定の停止位置に車両が停止され、前記第２操作盤から第２の認証操作が行われた場合に、前記第２の認証操作で入力されたユーザ識別情報と前記第１の認証操作で入力されたユーザ識別情報とが予め設定された所定の関係を満たすか否かを判定する判定手段と、
前記判定手段によって、前記第２の認証操作で入力されたユーザ識別情報と前記第１の認証操作で入力されたユーザ識別情報とが前記所定の関係を満たすと判定された後に、前記入庫扉を閉じるとともに、前記通路扉を施錠する扉制御手段と
を具備する請求項３に記載の機械式立体駐車場。
【請求項５】
前記操作盤機能制限手段は、前記入庫処理の進行状況及びユーザによる操作盤の操作に応じて、前記第１操作盤及び前記第２操作盤の操作有効及び操作無効を制御する請求項２に記載の機械式立体駐車場。
【請求項６】
前記操作盤機能制限手段は、前記乗降室の所定の停止位置に車両が停止された後に、前記第１操作盤及び前記第２操作盤の操作を有効とする請求項５に記載の機械式立体駐車場。
【請求項７】
前記第１操作盤から第１の認証操作が行われた場合に、前記第１の認証操作で入力されたユーザ識別情報を用いてユーザ認証を行うユーザ認証手段と、
前記ユーザ認証手段によるユーザ認証が正常に完了した後に、前記入庫扉を開く開扉手段と、
前記乗降室の所定の停止位置に車両が停止され、前記第１操作盤または前記第２操作盤から第２の認証操作が行われた場合に、前記第２の認証操作で入力されたユーザ識別情報と前記第１の認証操作で入力されたユーザ識別情報とが予め設定された所定の関係を満たすか否かを判定する判定手段と、
前記判定手段によって、前記第２の認証操作で入力されたユーザ識別情報と前記第１の認証操作で入力されたユーザ識別情報とが前記所定の関係を満たすと判定された後に、前記入庫扉を閉じるとともに、前記通路扉を施錠する扉制御手段と
を具備し、
前記操作盤機能制限手段は、前記第２の認証操作が行われなかった方の前記操作盤の操作を無効とする請求項６に記載の機械式立体駐車場。
【請求項８】
前記操作盤機能制限手段は、前記第１操作盤または前記第２操作盤の操作を無効とする場合に、無効とする前記第１操作盤または前記第２操作盤を用いた出庫の予約が他のユーザによって行われている場合には、該出庫の予約が終了した後に、前記第１操作盤または前記第２操作盤の操作を無効とする請求項１から請求項７のいずれかに記載の機械式立体駐車場。
【請求項９】
前記第１操作盤または前記第２操作盤から操作が行われている場合に、操作が行われていない方の前記操作盤の表示部には、現在の入庫の進行状況に応じた表示が行われる請求項１から請求項８のいずれかに記載の機械式立体駐車場。
【請求項１０】
乗降室から車両を出庫させる出庫扉の近傍に設けられ、出庫処理時に操作される第３操作盤と、
前記第３操作盤とは異なる場所に設けられ、前記乗降室からの車両の出庫処理時に操作される第４操作盤と、
出庫処理の進行状況に応じて、前記第３操作盤及び前記第４操作盤の操作有効及び操作無効を制御する操作盤機能制限手段と
を具備する機械式立体駐車場。
【請求項１１】
前記乗降室は、前記乗降室内と前記乗降室外との移動のために人が利用する少なくとも１つの通路扉を有し、
前記第４操作盤は、前記乗降室外であって、前記通路扉の近傍に設けられている請求項１０に記載の機械式立体駐車場。
【請求項１２】
前記操作盤機能制限手段は、出庫のための操作が前記第４操作盤からなされた場合に、前記第３操作盤からの操作を無効とし、
前記車両が前記乗降室の外部に移動したことが検知された場合に、前記第３操作盤からの操作を有効とし、前記第４操作盤からの操作を無効とする請求項１１に記載の機械式立体駐車場。
【請求項１３】
前記操作盤機能制限手段は、出庫のための操作が前記第３操作盤からなされた場合に、前記第４操作盤からの操作を無効とする請求項１１に記載の機械式立体駐車場。
【請求項１４】
乗降室へ車両を入庫させる入庫扉の近傍に設けられ、入庫処理時に操作される第１操作盤と、前記第１操作盤とは異なる場所に設けられ、前記乗降室への車両の入庫処理時に操作される第２操作盤とを備える機械式立体駐車場の制御方法であって、
入庫処理の進行状況に応じて、前記第１操作盤及び前記第２操作盤の操作有効及び操作無効を制御する機械式立体駐車場の制御方法。
【請求項１５】
乗降室から車両を出庫させる出庫扉の近傍に設けられ、出庫処理時に操作される第３操作盤と、前記第３操作盤とは異なる場所に設けられ、前記乗降室からの車両の出庫処理時に操作される第４操作盤とを備える機械式立体駐車場の制御方法であって、
出庫処理の進行状況に応じて、前記第３操作盤及び前記第４操作盤の操作有効及び操作無効を制御する機械式立体駐車場の制御方法。
【発明の詳細な説明】
【技術分野】
【０００１】
本発明は、機械式立体駐車場に係り、特に共通の乗降室に対して複数の操作盤が存在する機械式立体駐車場及びその制御方法に関するものである。
【背景技術】
【０００２】
オフィスビルやマンション等に併設されている事前に契約したユーザが使用する機械式立体駐車場では、予め契約ユーザに操作方法・安全確認方法の教育を行い、教育を受けたユーザに対して暗証番号や、暗証カードあるいはリモコンといった専用の認証手段を与えておき、各ユーザが車両を入出庫させる際には上記認証手段の情報を操作盤に入力または受信させることによって、車体搬送手段（パレット、リフト等）の呼び出しのための装置の起動操作と、入出庫扉の開閉操作を行わせている。
【０００３】
ところが、この種の機械式立体駐車場では、ユーザ自身によって入出庫扉の開閉操作等を行うことができるため、ユーザの確認不足により、乗降室内に他の人が取り残された状態で入出庫扉が閉じられ、駐車装置をユーザが起動してしまうことがあり得る。そこで、このような事態を避けるため、例えば特許文献１に開示されている機械式立体駐車場が提案されている。
【０００４】
特許文献１に記載されている機械式立体駐車場は、携帯認証媒体を所持したユーザが外部操作盤の近傍に形成された外部認証エリアに入った際にユーザ認証を行い、ユーザ認証が正常に完了した後においては、認証されたユーザだけに外部操作盤の操作を許可する。このような機械式立体駐車場によれば、認証されたユーザのみが外部操作盤を操作して入出庫扉を開閉させることができるため、例えば、出庫車両の呼び出しを行ったユーザが不在の間に、認証を受けていない部外者や他のユーザによって外部操作盤が勝手に操作されて、入出庫扉が開けられ、部外者や他の車両が乗降室に入ってしまうことを防止することができる。また、車両の入出庫が完了し、入出庫扉が閉じる段階では、乗降室の中にまだユーザが居るのに、その事情を知らない他のユーザによって外部操作盤が勝手に操作されて入出庫扉が閉じられてしまうことを防止することができる。
【先行技術文献】
【特許文献】
【０００５】
【特許文献１】国際公開第２０１３／０１８５４０号
【発明の概要】
【発明が解決しようとする課題】
【０００６】
ところで、特許文献１にも記載されているように、乗降室への車両の出入り及び人の出入りは入出庫扉（出入口扉と呼称されることもある）を介して行われるのが一般的である。すなわち、特許文献１に開示されている機械式立体駐車場では、入庫時において、入出庫扉から車両を乗降室に移動させ、乗降室内で降車したユーザ（運転手）は、同じく入出庫扉を介して乗降室から退出する。また、出庫時においても、入出庫扉から運転手は乗降室に進入し、乗車した後に、入出庫扉を介して乗降室から車両を外部に移動させる。このように、一般的な機械式立体駐車場では、一つの出入口を介してユーザが乗降室内と乗降室外とを移動する。
【０００７】
これに対し、乗降室に入出庫扉とは異なる出入口を設け、乗降室で降車したユーザが入出庫扉とは異なる出入口から外部に移動できるように構成された機械式立体駐車場が存在する。そのような機械式立体駐車場においては、異なる出入口にも操作盤を設けてユーザの利便性を高めるとともに、安全性を確保した車両の入出庫が行えるようにする必要がある。
【０００８】
本発明は、上記の課題を解決するためになされたものであって、乗降室に対して複数の操作盤が存在する場合に、ユーザの利便性を担保しながら、安全性を確保した車両の入出庫を行うことのできる機械式立体駐車場及びその制御方法を提供することを目的とする。
【課題を解決するための手段】
【０００９】
本発明は、乗降室へ車両を入庫させる入庫扉の近傍に設けられ、入庫処理時に操作される第１操作盤と、前記第１操作盤とは異なる場所に設けられ、前記乗降室への車両の入庫処理時に操作される第２操作盤と、入庫処理の進行状況に応じて、前記第１操作盤及び前記第２操作盤の操作有効及び操作無効を制御する操作盤機能制限手段とを具備する機械式立体駐車場を提供する。
【００１０】
本発明の機械式立体駐車場によれば、乗降室に対して複数の操作盤が設けられている。複数の操作盤のうちの一つは、入庫扉の近傍に設けられた第１操作盤であり、他の一つは、第１操作盤とは異なる場所に設けられた第２操作盤である。そして、第１操作盤及び第２操作盤の操作有効及び操作無効が、入庫処理の進行状況に応じて操作盤機能制限手段によって同時に操作できないように制御される。このように、入庫処理の進行状況に応じて第１操作盤及び第２操作盤を連動制御することにより、両操作盤からの操作が衝突することを容易に避けることができ、安定した入出庫処理を実現することが可能となる。
【００１１】
上記機械式立体駐車場において、前記乗降室は、前記乗降室内と前記乗降室外との移動のために人が利用する少なくとも１つの通路扉を有し、前記第２操作盤は、例えば、前記乗降室外であって、前記通路扉の近傍に設けられている。
【００１２】
上記機械式立体駐車場によれば、乗降室に、乗降室内と乗降室外との移動のために人が利用する少なくとも１つの通路扉が設けられているので、ユーザは通路扉を介して乗降室から退出することが可能となる。これにより、入庫扉のみが設けられていた場合に比べて、ユーザの利便性を高めることが可能となる。
更に、乗降室の外側であって、通路扉の近傍には、第２操作盤が設けられているので、ユーザが通路扉を通じて乗降室を退出した場合でも、第２操作盤を使用することにより、容易に入庫処理を継続して行うことが可能となる。
【００１３】
上記機械式立体駐車場において、前記操作盤機能制限手段は、前記乗降室の停止位置に車両が停止された後に、前記第１操作盤からの操作を無効とするとともに、前記第２操作盤からの操作を有効としてもよい。
【００１４】
例えば、ユーザが乗降室に車両を停止させた後に、通路扉から乗降室を退出することが前提とされている場合、通路扉から乗降室を退出した後に、第１操作盤が用いられる可能性は極めて低い。したがって、このような場合に、第１操作盤の操作を無効とすることにより、他のユーザや第三者によって第１操作盤が操作され、進行中の入庫処理に影響を与えるような指示が送信されるような事象を防止することが可能となる。これにより、安定した入庫の運用を実現することができる。
【００１５】
上記機械式立体駐車場は、前記第１操作盤から第１の認証操作が行われた場合に、前記第１の認証操作で入力されたユーザ識別情報を用いてユーザ認証を行うユーザ認証手段と、前記ユーザ認証手段によるユーザ認証が正常に完了した後に、前記入庫扉を開く開扉手段と、前記乗降室の所定の停止位置に車両が停止され、前記第２操作盤から第２の認証操作が行われた場合に、前記第２の認証操作で入力されたユーザ識別情報と前記第１の認証操作で入力されたユーザ識別情報とが予め設定された所定の関係を満たすか否かを判定する判定手段と、前記判定手段によって、前記第２の認証操作で入力されたユーザ識別情報と前記第１の認証操作で入力されたユーザ識別情報とが前記所定の関係を満たすと判定された後に、前記入庫扉を閉じるとともに、前記通路扉を施錠する扉制御手段とを更に有していてもよい。
【００１６】
上記機械式立体駐車場によれば、第１操作盤及び第２操作盤の操作有効及び操作無効の制御に加えて、ユーザの認証処理等が行われる。これにより、入庫処理を操作するユーザをより確実に制限することができ、安全性を確保した入出庫を実現することが可能となる。
ここで、「所定の関係を満たすか否かを判定する」とは、例えば、第１の認証操作で入力されたユーザ認証情報と第２の認証操作で入力されたユーザ認証情報とが一致するか否かを判定することを含む。更に、「所定の関係を満たすか否かを判定する」とは、複数のユーザ識別情報を関連付けて予め登録しておき、第１の認証操作で入力されたユーザ識別情報と第２の認証操作で入力されたユーザ識別情報とが予め関連付けられたものであるか否かを判定することも含む。例えば、駐車場の操作員のユーザ識別情報と駐車場の契約者（ユーザ）のユーザ識別情報とが予め関連付けられていてもよい。
【００１７】
上記機械式立体駐車場において、前記操作盤機能制限手段は、前記入庫処理の進行状況及びユーザによる操作盤の操作に応じて、前記第１操作盤及び前記第２操作盤の操作有効及び操作無効を制御することとしてもよい。
【００１８】
例えば、機械式立体駐車場において、前記操作盤機能制限手段は、前記乗降室の所定の停止位置に車両が停止された後に、前記第１操作盤及び前記第２操作盤の操作を有効としてもよい。
【００１９】
より具体的には、上記機械式立体駐車場は、前記第１操作盤から第１の認証操作が行われた場合に、前記第１の認証操作で入力されたユーザ識別情報を用いてユーザ認証を行うユーザ認証手段と、前記ユーザ認証手段によるユーザ認証が正常に完了した後に、前記入庫扉を開く開扉手段と、前記乗降室の所定の停止位置に車両が停止され、前記第１操作盤または前記第２操作盤から第２の認証操作が行われた場合に、前記第２の認証操作で入力されたユーザ識別情報と前記第１の認証操作で入力されたユーザ識別情報とが予め設定された所定の関係を満たすか否かを判定する判定手段と、前記判定手段によって、前記第２の認証操作で入力されたユーザ識別情報と前記第１の認証操作で入力されたユーザ識別情報とが前記所定の関係を満たすと判定された後に、前記入庫扉を閉じるとともに、前記通路扉を施錠する扉制御手段とを具備し、前記操作盤機能制限手段は、前記第２の認証操作が行われなかった方の前記操作盤の操作を無効とすることとしてもよい。
【００２０】
このように、入庫処理の進行状況だけでなく、ユーザによる操作盤の操作も加味して第１操作盤及び第２操作盤の操作有効及び操作無効を制御するので、ユーザ自らが乗降室からの退路を決定することが可能となる。これにより、ユーザの利便性をより高めることが可能となる。また、ユーザが乗降室からの退路に用いなかった扉の近傍に設置されている操作盤については、本入庫処理についてユーザが操作する可能性が極めて低いため、そのような操作盤については操作を無効とする。これにより、他のユーザや第三者によってその操作盤が操作され、入庫処理に影響を与えるような指示が送信されるような事象を防止することが可能となる。これにより、安全性を高めることが可能となる。
【００２１】
上記機械式立体駐車場において、前記操作盤機能制限手段は、前記第１操作盤または前記第２操作盤の操作を無効とする場合に、無効とする前記第１操作盤または前記第２操作盤を用いた出庫の予約が他のユーザによって行われている場合には、該出庫の予約が終了した後に、前記第１操作盤または前記第２操作盤の操作を無効としてもよい。
【００２２】
例えば、入庫処理において乗降室に空きパレットを搬送しなければならない場合、空きパレットの到着までに時間を要する。このような場合、少しでも操作盤を有効に利用する為に、当該出庫処理に影響を与えない範囲で操作盤の操作（機能）を有効化しておくことが好ましい。上記機械式立体駐車場によれば、操作盤を無効にする際に、継続中の出庫予約処理が行われていた場合には、その出庫予約が終了するまで無効化を行うのを待機し、出庫予約が終了した後に、操作盤の操作を無効化する。これにより、操作盤を有効に活用でき、入出庫の効率を向上させることが可能となる。
【００２３】
上記機械式立体駐車場において、前記第１操作盤または前記第２操作盤から操作が行われている場合に、操作が行われていない方の前記操作盤の表示部には、現在の入庫の進行状況に応じた表示が行われることとしてもよい。
【００２４】
これにより、入庫処理を行っていない他のユーザに対して機械式立体駐車場がどのような状況にあるのかを報知することが可能となる。これにより、他のユーザ等によってむやみに操作盤が操作されることを防止することができ、安定した駐車場の運用が期待できる。
【００２５】
本発明は、乗降室から車両を出庫させる出庫扉の近傍に設けられ、出庫処理時に操作される第３操作盤と、前記第３操作盤とは異なる場所に設けられ、前記乗降室からの車両の出庫処理時に操作される第４操作盤と、出庫処理の進行状況に応じて、前記第３操作盤及び前記第４操作盤の操作有効及び操作無効を制御する操作盤機能制限手段とを具備する機械式立体駐車場を提供する。
【００２６】
本発明の機械式立体駐車場によれば、乗降室に対して複数の操作盤が設けられている。複数の操作盤のうちの一つは、出庫扉の近傍に設けられた第３操作盤であり、他の一つは、第３操作盤とは異なる場所に設けられた第４操作盤である。そして、第３操作盤及び第４操作盤の操作有効及び操作無効が、出庫処理の進行状況に応じて操作盤機能制限手段によって制御される。このように、出庫処理の進行状況に応じて第３操作盤及び第４操作盤を連動制御することにより、両操作盤からの操作が衝突することを容易に避けることができ、安定した入出庫処理を実現することが可能となる。
なお、出庫時と入庫時とで共通の乗降室が利用され、かつ、入庫時と出庫時とで共通の入出庫扉を用いる場合には、上記第１操作盤と第３操作盤とは一台の操作盤を共有することができる。
【００２７】
上記機械式立体駐車場において、前記乗降室は、前記乗降室内と前記乗降室外との移動のために人が利用する少なくとも１つの通路扉を有し、前記第４操作盤は、前記乗降室外であって、前記通路扉の近傍に設けられている。
【００２８】
上記機械式立体駐車場によれば、乗降室に、乗降室内と乗降室外との移動のために人が利用する少なくとも１つの通路扉が設けられているので、目的に応じてユーザは便利な扉を介して移動をすることができる。これにより、出庫扉のみが設けられていた場合に比べて、ユーザの利便性を高めることが可能となる。
更に、乗降室の外側であって、通路扉の近傍には、第４の操作盤が設けられているので、ユーザが通路扉を通じて乗降室に進入したい場合に、第４の操作盤を操作することにより、容易に出庫操作を行うことが可能となる。
なお、出庫時と入庫時とで共通の乗降室が利用され、かつ、入庫時と出庫時とで共通の通路扉を用いる場合には、第２操作盤と第４操作盤とは一台の操作盤を共有することができる。
【００２９】
上記機械式立体駐車場において、前記操作盤機能制限手段は、出庫のための操作が前記第４操作盤からなされた場合に、前記第３操作盤からの操作を無効とし、前記車両が前記乗降室の外部に移動したことが検知された場合に、前記第３操作盤からの操作を有効とし、前記第４操作盤からの操作を無効とすることとしてもよい。
また、上記機械式立体駐車場において、前記操作盤機能制限手段は、出庫のための操作が前記第３操作盤からなされた場合に、前記第４操作盤からの操作を無効としてもよい。
【００３０】
このように、出庫のための操作がされなかった方の操作盤については、操作を無効化することにより、他のユーザや第三者による操作を無効化することができる。これにより、安全性を高めることが可能となる。
【００３１】
本発明は、乗降室へ車両を入庫させる入庫扉の近傍に設けられ、入庫処理時に操作される第１操作盤と、前記第１操作盤とは異なる場所に設けられ、前記乗降室への車両の入庫処理時に操作される第２操作盤とを備える機械式立体駐車場の制御方法であって、入庫処理の進行状況に応じて、前記第１操作盤及び前記第２操作盤の操作有効及び操作無効を制御する機械式立体駐車場の制御方法を提供する。
【００３２】
本発明は、乗降室から車両を出庫させる出庫扉の近傍に設けられ、出庫処理時に操作される第３操作盤と、前記第３操作盤とは異なる場所に設けられ、前記乗降室からの車両の出庫処理時に操作される第４操作盤とを備える機械式立体駐車場の制御方法であって、出庫処理の進行状況に応じて、前記第３操作盤及び前記第４操作盤の操作有効及び操作無効を制御する機械式立体駐車場の制御方法を提供する。
【発明の効果】
【００３３】
本発明によれば、乗降室に対して複数の操作盤が存在する場合に、ユーザの利便性を担保しながら、安全性を確保した車両の入出庫を行うことができるという効果を奏する。
【図面の簡単な説明】
【００３４】
【図１】本発明の第１実施形態に係る機械式立体駐車場の斜視外観図である。
【図２】本発明の第１実施形態に係る乗降室の平面図である。
【図３】入庫時において入出庫扉が閉じている状態を示す入出庫口付近の斜視図である。
【図４】本発明の第１実施形態に係る第１操作盤及び第２操作盤の概略図である。
【図５】本発明の第１実施形態に係る機械式立体駐車場が備える制御システムの概略構成を示したブロック図である。
【図６】本発明の第１実施形態に係る入庫処理の手順を示したフローチャートである。
【図７】本発明の第１実施形態に係る入庫処理の手順を示したフローチャートである。
【図８】本発明の第１実施形態に係る出庫処理の手順を示したフローチャートである。
【図９】本発明の第１実施形態に係る出庫処理の手順を示したフローチャートである。
【図１０】本発明の第２実施形態に係る入庫処理の手順を示したフローチャートである。
【発明を実施するための形態】
【００３５】
以下に、本発明の各実施形態について、図面を参照しながら説明する。なお、本発明は、モータの動力により車両を移動させる機能を有する機械式立体駐車場であれば幅広く適用できるものであって、以下の説明にある垂直循環式立体駐車場に限定されるものではない。
【００３６】
〔第１実施形態〕
図１は、本発明の第１実施形態に係る機械式立体駐車場の一例を示す斜視図である。この機械式立体駐車場１は、オフィスビルやマンション等に併設される契約者専用のものである。操作方法及び安全操作について教育を受けた契約者には予め固有のユーザ識別情報が記憶されたＩＣカードが付与されており、このＩＣカードは入出庫時のユーザ認証に使用される。以下の説明では、ＩＣカードをユーザを識別するものの例として記載するが、ＩＣタグ、磁気カード、暗証番号、リモコン装置、指紋などの生態認証など、ユーザ個人を識別できるものであればよく、特に限定されない。
【００３７】
機械式立体駐車場１は、複数の車両２を収容可能な垂直循環式の立体駐車場施設であり、地上部に車両２の入出庫口３が開口する塔状の車庫装置（駐車塔）内に複数のパレット４（車体搬送手段）が収容されている。各パレット４は車庫装置内で上下に駆動される搬送チェーン６にアーム７を介して所定間隔で設けられたケージ８に吊設されており、搬送チェーン６の位置に拘らず常に水平な姿勢を保たれている。
【００３８】
図１には図示しないパレット駆動機構に備えられた昇降用モータにより搬送チェーン６が駆動されると、各パレット４が水平な姿勢で車庫装置内を上下に循環し、最下部の位置でパレット４が地上レベルの高さとなり、入出庫口３から車両２の積み降ろしが行われる。また、車両２は入出庫口３の前に設けられたターンテーブル９により向きを変えられ、例えば常に前向きでパレット４上に載置される。ターンテーブル９は図示しないパレット旋回機構に備えられた旋回用モータにより旋回駆動される。入出庫口３には入出庫扉（入庫扉・出庫扉）１１が設けられている。なお、本実施形態では、入庫と出庫とが同一の扉を介して行われる場合について例示しているが、この例に限定されず、入庫口と出庫口とは異なってもよい。この場合、入庫口には入庫扉が設けられ、出庫口には出庫扉が設けられる。また、本実施形態のように、入庫と出庫とが同一の扉を介して行われる場合には、入出庫扉１１は、入庫扉と出庫扉との両方を包含する。
また、機械式駐車設備の前に十分な方向転換のスペースがある場合や、機械式駐車場設備がターンテーブルを内蔵している場合には、立駐設備前のターンテーブル９は設置されなくてもよい。
【００３９】
図２は本実施形態に係る乗降室５の平面図である。図２に示すように、乗降室５は、入出庫口３とは異なる位置に、乗降室内と乗降室外との移動のために人が利用する通路扉１５を有している。通路扉１５には遠隔操作によって施錠及び解錠が制御可能な鍵が設けられている。通路扉１５が解錠されることにより、ユーザは、乗降室５からオフィスビル内またはマンション内に直接移動することができる。このような通路扉１５を設けることで、ユーザは入出庫口３を経由して遠回りしてビル内に移動する手間が省け、利便性を高めることができる。
【００４０】
また、乗降室５内には、庫内の人や動物等を検知するためのセンサや、車両２が乗降室５内の規定位置に正常に停止されたか否かを検知するためのセンサ等が設置されている。これら各種センサのセンサ出力は後述する主制御部５０に送信されるようになっている。
また、乗降室５において、車両２の進入方向前方の内壁には、車両２を空きパレット４の規定位置に停止させるための誘導表示を行う案内表示部２２が設けられている。乗降室５の入出庫扉１１の近傍の外壁には、入出庫時に操作される第１操作盤（第３操作盤）２０ａが設けられている。また、図２、図３に示すように、乗降室５の外部であって通路扉１５の近傍には、入出庫時に操作される第２操作盤（第４操作盤）２０ｂが設けられている。
なお、本実施形態においては、入出庫時において共通の入出庫扉１１を介して車両が入庫及び出庫する場合を想定して説明するが、入庫時に用いる乗降室と、出庫時に用いる乗降室とが異なる場合には、第１操作盤２０ａとは別に出庫専用に操作される第３操作盤や、第２操作盤２０ｂとは別に出庫専用に操作される第４操作盤等が設けられていてもよい。
【００４１】
図４は、第１操作盤２０ａ及び第２操作盤２０ｂの概略図である。以下、特に第１操作盤２０ａ及び第２操作盤２０ｂを区別しない場合は、操作盤２０として説明する。
図４に示すように、操作盤２０は、例えば、表示部３１と、スピーカ３２と、入力部３３と、ＩＣカードリーダ３４とを備えている。入力部３３は、例えば、テンキー操作部４１、安全確認ボタン４２、閉扉ボタン４３、起動ボタン４４等を備えている。
入力部３３はユーザが各種入力操作を行うためのものであり、表示部３１とスピーカ３２とは、画面および音声によってユーザに操作方法を指示するものであり、ＩＣカードリーダ３４はＩＣカードを用いた認証を行わせるものである。入力部３３において、テンキー操作部４１は、例えば、ユーザがＩＣカードを忘れた場合に、識別情報を手入力するための入力手段として機能し、安全確認ボタン４２はユーザが庫内等の安全を確認した上で操作するボタンであり、閉扉ボタン４３は扉を閉める際に操作するボタンであり、起動ボタン４４はパレット４の呼び出しや格納を指示する際に操作するボタンである。
操作盤２０が備えるこれら各種構成は、例えば、後述する操作盤制御部４０（４０ａ、４０ｂ：図５参照）とバスを介して接続され、操作盤制御部４０（４０ａ、４０ｂ）によって統括制御される。
なお、本実施形態では、表示部３１、スピーカ３２、入力部３３、ＩＣカードリーダ３４、テンキー操作部４１、各種ボタン４２〜４４を個々の部品として記載しているが、この例に限定されず、複数のこれらの構成が一つの部品として構成されていてもよい。例えば、タッチパネル式操作盤のように、表示画面上にテンキー、ボタン、案内表示等を行うなどのように、同等の機能を実現できる構成とされていればよい。また、上記全ての構成や機能を備えている必要はなく、適宜省略追加が可能である。
【００４２】
図５は、本実施形態に係る機械式立体駐車場１が備える制御システムの概略構成を示したブロック図である。制御システムは、第１操作盤２０ａが備える操作盤制御部４０ａ、第２操作盤２０ｂが備える操作盤制御部４０ｂ、及び主制御部５０を備える。
【００４３】
操作盤制御部４０ａ、４０ｂ及び主制御部５０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、後述する各部の機能を実現するための一連の処理が、一例として、プログラムの形式で記憶媒体等に記憶されており、このプログラムをＣＰＵがＲＡＭ等に読み出して情報の加工・演算処理を実行することにより、後述する各部による機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００４４】
図５に示されるように、操作盤制御部４０ａ、４０ｂはそれぞれ主制御部５０と接続され、双方向通信が可能な構成とされている。
主制御部５０は、機械式立体駐車場１全体の制御を行うものであり、例えば、ユーザ認証部５１、認証データベース５２、操作盤機能制限部５３、記憶部５４、判定部５５、扉制御部５６、及びパレット駆動制御部５７等を主な構成（機能）として備えている。また、主制御部５０が備える機能はこれらに限られず、後述する入庫処理及び出庫処理を実現するための各種機能を備えており、一つ又は機能毎に複数のＣＰＵユニットで構成されている。
【００４５】
ユーザ認証部５１は、操作盤制御部４０ａ、４０ｂからユーザ識別情報を受信した場合に、受信したユーザ識別情報が認証データベース５２に登録されているか否かを判定することによりユーザ認証を行う。
認証データベース５２には、機械式立体駐車場１を利用する権限を持つ契約者のユーザ識別情報が予め登録されている。
操作盤機能制限部５３は、入庫処理や出庫処理の進行状況に応じて、第１操作盤２０ａ、第２操作盤２０ｂにおけるユーザによる一部または全部の操作を制限する。
例えば、「操作無効」とは、各操作盤を用いたユーザの操作が全て無効とされる、換言すると、入力操作が全く受け付けられないことを意味するだけでなく、操作盤へ行う入力操作のうちの決められた一部のみの操作については無効とされずに有効とされている状態、すなわち一部の入力操作のみについては有効とされる場合も含む。「操作有効」は、各操作盤においてユーザによって行われた入力操作が有効とされる、換言すると、入力が受け付けられることを意味する。
【００４６】
記憶部５４は、主制御部５０が後述する入庫処理及び出庫処理を実行する際に必要となるプログラムやデータを格納するとともに、入庫処理や出庫処理で発生した種々のデータを格納する。
判定部５５は、例えば、扉開操作を行ったユーザと、扉閉操作を行ったユーザとが同一人物であるか否かを判定し、同一人物である場合に、閉扉操作を許可する。
扉制御部５６は、ユーザ認証部５１及び判定部５５による判定結果に基づいて入出庫口３の開扉及び閉扉を制御するとともに、通路扉１５の解錠及び施錠を制御する。
パレット駆動制御部５７は、第１操作盤２０ａ、第２操作盤２０ｂから受信した操作指示に基づいてパレットの昇降等を制御する。
【００４７】
次に、本実施形態に係る機械式立体駐車場１の入庫時に行われる入庫処理について、図６、７を参照して説明する。図６、７は、本実施形態に係る入庫処理の手順を示したフローチャートである。
【００４８】
まず、ユーザ（車両のドライバー）は車両２を入出庫扉１１の前（ターンテーブル９の上）に停車して降車し、ドアミラーを畳み、アンテナを下げる。続いて、ユーザは、第１操作盤２０ａに向かい、自身のユーザ識別情報が記憶されたＩＣカードをＩＣカードリーダ３４にかざすことにより、第１の認証操作を行う（ステップＳＡ１）。これにより、ＩＣカードに記憶されているユーザ識別情報がＩＣカードリーダ３４によって読み取られ、主制御部５０に送信される。
【００４９】
主制御部５０のユーザ認証部５１では、操作盤制御部４０ａから受信したユーザ識別情報が認証データベース５２に格納されているか否かを判定することにより、ＩＣカードをかざしたユーザが契約者か否かを判定する（ステップＳＡ２：第１のユーザ認証処理）。
なお、ＩＣカードを用いた認証に代えて、ユーザがテンキー操作部４１からユーザ識別情報を入力することにより、第１の認証操作を行うこととしてもよいし、遠隔操作可能なリモコン装置を用いて無線によりユーザ識別情報を第１操作盤２０ａに送信することにより第１の認証操作を行うこととしてもよい。このように、ユーザ識別情報を第１操作盤２０ａに入力する手法は特に限定されない。
【００５０】
ＩＣカードをかざしたユーザが当該機械式立体駐車場１の契約者であることが確認されることにより、第１のユーザ認証処理が正常に完了すると（ステップＳＡ２において「ＹＥＳ」）、主制御部５０は、ユーザ認証が正常に完了したことを示す信号を操作盤制御部４０ａに通知するとともに、第１のユーザ認証処理で用いたユーザ識別情報を記憶部５４に格納する。
【００５１】
続いて、主制御部５０のパレット駆動制御部５７は、乗降室５に空きパレット４があるか否かを判定し、空きパレット４がなければ、空きパレット４を乗降室５に移動させる（ステップＳＡ３：空きパレット搬送処理）。
また、ＳＡ３の空きパレット搬送処理の開始と並行して、操作盤機能制限部５３は、第２操作盤２０ｂを操作無効とする（ステップＳＡ４：第２操作盤の操作無効）。これにより、第２操作盤２０ｂから入力操作がされたとしても、その入力操作は無効とされ、何の処理も行われない。また、この操作の無効化に併せて、第２操作盤２０ｂの表示部３１に、「現在、操作できません。」等のように、第２操作盤２０ｂからの操作ができないことを他のユーザに対して通知するメッセージを表示させてもよい。
【００５２】
なお、第２操作盤２０ｂからの操作を無効とする際に、出庫予約等の操作が行われている途中であった場合には、操作盤機能制限部５３は、その予約操作については許可し、予約操作が終了した後に、第２操作盤２０ｂの操作（機能）を無効としてもよい。
あるいは、操作盤機能制限部５３は、予約操作に限って入力操作を許可するようにしてもよい。
【００５３】
次に、ＳＡ３の処理が完了したら、第１操作盤２０ａの操作盤制御部４０ａは、表示部３１とスピーカ３２によって、入出庫扉１１を開扉するために必要とされる第２の認証操作を実行するよう指示する。この指示を受けて、ユーザがＩＣカードをＩＣカードリーダ３４に再度かざすと、ユーザ識別情報が主制御部５０に送信される（ステップＳＡ５）。主制御部５０の判定部５５は、第２の認証操作で入力されたユーザ識別情報と先の第１の認証操作で入力されたユーザ認証情報とが予め設定された所定の関係を有するか否かを判定する。本実施形態では、契約者自身が入出庫を行うことを前提としているため、判定部５５は、例えば、第２の認証操作で入力されたユーザ識別情報と第１の認証操作で入力されたユーザ認証情報とが一致するか否かを判定する。この結果、一致しなければ（ステップＳＡ６において「ＮＯ」）、その旨の信号が主制御部５０から操作盤制御部４０ａに送信され、表示部３１やスピーカ３２によってエラー通知が行われる（ステップＳＡ７）。
【００５４】
一方、一致した場合には、第１操作盤２０ａの表示部３１とスピーカ３２によって、安全確認を行った上で安全確認ボタン４２を押すようユーザに指示する。これにより、安全確認ボタン４２がユーザによって押されると（ステップＳＡ８）、その操作指示が主制御部５０に送信され、扉制御部５６によって入出庫扉１１が開扉される（ステップＳＡ９）。
【００５５】
入出庫扉１１が開くと、ユーザは再び車両に乗り込み、車両を前進させて、乗降室５に置かれている空のパレット４上の規定位置に車両を停車させる。この間、乗降室５内で異常が発生した場合には、その異常が乗降室５内に設けられた各種センサ（図示略）によって検知され、異常を解消するようなアナウンスや表示を行うことで、空のパレット４の規定位置に車両が停止されるようにユーザを誘導する。
【００５６】
そして、車両が空のパレット４の規定位置に停車され（ステップＳＡ１０）、乗降室５内に設置された各種センサによってその旨が検知されると、主制御部５０は、例えば、案内表示部２２に規定位置に停止された旨を表示し、ユーザに通知する。
その表示を確認したユーザは同乗者とともに降車し、通路扉１５へ向かう。また、主制御部５０の扉制御部５６は通路扉１５を解錠し（ステップＳＡ１１）、操作盤機能制限部５３は第１操作盤２０ａを操作無効とするとともに、第２操作盤２０ｂを操作有効とする（ステップＳＡ１２）。すなわち、操作可能な操作盤を第１操作盤２０ａから第２操作盤２０ｂに切り替える。
【００５７】
扉制御部５６によって通路扉１５が解錠されることにより、ユーザ及び同乗者は通路扉１５を通じて乗降室５から退出し、ビル等の内部に直接移動することができる（ステップＳＡ１３）。また、このように車両２が空のパレット４の規定位置に停止されるまでは通路扉１５を施錠しておくことで、第三者が乗降室５に誤って進入してしまうことを防止することができ、安全性を確保することができる。
【００５８】
続いて、通路扉１５を通じて乗降室５から退出したユーザは、第２操作盤２０ｂのＩＣカードリーダ３４にＩＣカードをかざすことにより第３の認証操作を行う（ステップＳＡ１４）。これにより、ＩＣカードに記憶されているユーザ識別情報がＩＣカードリーダによって読み取られ、操作盤制御部４０ｂから主制御部５０に送信される。主制御部５０の判定部５５は、受信したユーザ識別情報が第２の認証操作において入力されたユーザ識別情報と一致するか否かを判定することにより、開扉操作を行ったユーザと同一人物か否かを判定する。
この結果、一致しなければ（ステップＳＡ１５において「ＮＯ」）、上述と同様に、エラー通知が行われる（ステップＳＡ１６）。
【００５９】
一方、判定部５５によって、第３の認証操作を行った人物が第２の認証操作を行った人物と同一である、換言すると、閉扉操作を行おうとしている人物が開扉操作を行った人物と同一人物であると判定すると（ステップＳＡ１５において「ＹＥＳ」）、表示部３１とスピーカ３２により、ユーザに乗降室５内の安全確認を行った上で安全確認ボタン４２を押し、更に、閉扉ボタン４３を押すように指示がなされる。この指示に従い、ユーザは乗降室５内に人が残っていないかどうかを確認してから安全確認ボタン４２を押し（ステップＳＡ１７）、更に、閉扉ボタン４３を押すと（ステップＳＡ１８）、閉扉指示が主制御部５０に送信され、扉制御部５６によって入出庫扉１１が閉扉されるとともに、通路扉１５が施錠される（ステップＳＡ１９）。
【００６０】
その後、ユーザによって起動ボタン４４が押されると、主制御部５０のパレット駆動制御部５７は、車両２が載置されたパレット４を乗降室５から所定の格納場所に移動させる。また、主制御部５０は、車両２が載置されたパレット４の格納位置と第１の認証操作で受信したユーザ識別情報とを対応付けた駐車管理リストを記憶部５４に格納する。これにより、第１の認証操作が行われた際に、駐車管理リストに識別情報が記載されているか否かを判定することにより、ユーザが入庫を希望しているのか、出庫を希望しているのかを判定することが可能となる。
【００６１】
次に、本実施形態に係る機械式立体駐車場１の出庫時に行われる出庫処理について、図８、９を参照して説明する。図８、９は、本実施形態に係る出庫処理の手順を示したフローチャートである。
【００６２】
まず、ユーザ（車両のドライバー）は、第１操作盤２０ａまたは第２操作盤２０ｂに向かい、第１の認証操作を行う。この第１の認証操作の手順および第１の認証処理は入庫時に行ったものと同様であり、仮に非契約者が認証操作を行っても、表示部３１とスピーカ３２によりエラー表示がなされて機械式立体駐車場１は動作しない（ステップＳＢ１）。
ユーザ認証が正常に完了すると、主制御部５０の操作盤機能制限部５３は、第１の認証操作が行われなかった操作盤の操作を無効とする（ステップＳＢ２）。以下の説明では、第２操作盤２０ｂから第１の認証操作が行われた場合を例示して説明する。この場合、第１操作盤２０ａは操作無効とされ、「操作有効」とされるまでこの状態が維持される。
【００６３】
続いて、操作盤制御部４０ｂは、表示部３１とスピーカ３２によって起動ボタン４４を押すようユーザに指示し、ユーザが起動ボタン４４を押すと起動信号が操作盤制御部４０ｂから主制御部５０へ送信される。主制御部５０は、ユーザ識別情報が記憶部５４に格納されている駐車管理リストに記載されているか否かを判定し、記載されていれば出庫であると判定し、パレット駆動制御部５７がユーザ識別情報に対応付けられているパレット４を乗降室５に搬送させる（ステップＳＢ３）。
【００６４】
車両２が載置されたパレット４が到着すると、表示部３１とスピーカ３２によって第２の認証操作をユーザに指示する。これにより、ＩＣカードがＩＣカードリーダ３４によって読み取られると（ステップＳＢ４）、出庫時と同様の手順に従って第２の認証処理が行われる（ステップＳＢ５、ＳＢ６）。
そして、第２の認証処理が正常に完了すると、第２操作盤２０ｂの表示部３１とスピーカ３２によって、安全確認を行った上で安全確認ボタン４２を押すようユーザに指示する。これにより、安全確認ボタン４２がユーザによって押されると（ステップＳＢ７）、その操作指示が主制御部５０に送信され、扉制御部５６によって入出庫扉１１が開扉されるとともに、通路扉１５が解錠される（ステップＳＢ８）。
【００６５】
入出庫扉１１が開くと、ユーザは同乗者とともに通路扉１５から乗降室５内に入り、車両２に乗り込んでエンジンを掛け、車両２を入出庫扉１１から出庫させ、乗降室５外の所定位置に停止させる（ステップＳＢ９）。そして、乗降室５内に設けられている各種センサの検出信号に基づいて乗降室５から車両２が完全に出たことが確認されると（ステップＳＢ１０）、主制御部５０の操作盤機能制限部５３は、第１操作盤２０ａを操作有効とするとともに、第２操作盤２０ｂを操作無効とする（ステップＳＢ１１）。
【００６６】
続いて、ユーザは降車し、第１操作盤２０ａから第３の認証操作を行う（ステップＳＢ１２）。第３の認証操作の操作手順および判定内容も、入庫時に行った第３の認証操作と同様である。ここで、仮に、ユーザがまだ乗降室５内に居る時に次のユーザが訪れて第１の認証操作を行っても、ユーザ識別情報が一致しないため、表示部３１とスピーカ３２によりエラー通知がなされ、機械式立体駐車場１は動作しない。このため、入庫時と同様に、前のユーザがまだ乗降室５の中に居る状態で入出庫扉１１が閉じられてパレット駆動機構が起動してしまうことが防止される。
【００６７】
そして、主制御部５０の判定部５５によって第２と第３の認証操作を行ったユーザが同一であるか否かが判定され（ステップＳＢ１３）、同一でなければ（ステップＳＢ１３において「ＮＯ」）、エラー通知が行われ（ステップＳＢ１４）、同一であれば（ステップＳＢ１３において「ＹＥＳ」）、表示部３１とスピーカ３２により、ユーザに乗降室５内の安全確認を行うよう指示し、さらに安全確認が取れたら閉扉ボタン４３を押して入出庫扉１１を閉じるように指示する。これにより、ユーザは乗降室５内に人が残っていないかどうかを確認した後、安全確認ボタン４２、閉扉ボタン４３を押す（ステップＳＢ１５、１６）。これにより、扉制御部５６は入出庫扉１１を閉じるとともに、通路扉１５を施錠する（ステップＳＢ１７）。
【００６８】
その後、ユーザ及び同乗者は、車両２に乗車して、必要に応じてターンテーブル９により車両の向きを変更してから出発する。
また、主制御部５０の操作盤機能制限部５３は、入出庫扉１１が完全に閉じられると、第２操作盤２０ｂを操作有効とする。これにより、第１操作盤２０ａ、第２操作盤２０ｂからの操作が可能な状態とされ、次のユーザによる入庫または出庫の待ち受け状態となる。
【００６９】
以上説明したように、本実施形態に係る機械式立体駐車場１及びその制御方法によれば、入出庫扉１１の近傍に設けられた第１操作盤２０ａに加えて、乗降室５内から乗降室５外へ通ずる通路扉１５の近傍に設けられた第２操作盤２０ｂを備え、入出庫の進行状況に応じて第１操作盤２０ａ及び第２操作盤２０ｂの操作有効及び操作無効を制御する。このように、第１操作盤２０ａ及び第２操作盤２０ｂを連動制御することにより、両操作盤からの操作が衝突することを容易に避けることができ、安定した入出庫処理を実現することが可能となる。また、ユーザは、乗降室５内から通路扉１５を介して例えば、ビル内に移動することができ、更に、安全確認や閉扉指示等を第２操作盤２０ｂから行うことができるので、入出庫扉１１からビル内等に移動する場合に比べて、ユーザの利便性を向上させることが可能となる。
更に、上述した第１操作盤２０ａ及び第２操作盤２０ｂの連動制御と、認証処理とを組み合わせることにより、入庫処理や出庫処理を操作するユーザを制限することができる。これにより、安全性を確保した入出庫を実現することが可能となり、例えば、乗降室５内に人が取り残された状態で入出庫扉１１が閉じられてしまうことを確実に防止することができる。
【００７０】
〔第２実施形態〕
上述した第１実施形態では、入庫時において、入出庫扉１１から乗降室５に進入し、その後、通路扉１５を通じて乗降室５からユーザが退出する場合を前提として、第１操作盤２０ａ及び第２操作盤２０ｂの操作無効及び操作有効を制御していた。
しかしながら、入庫時において、通路扉１５ではなく、入出庫扉１１を通じて乗降室５から退出したいユーザもいる。そのため、本実施形態では、ユーザが希望する扉を通じて乗降室５から退出することのできる入庫処理を実現する。
【００７１】
具体的には、上述した第１実施形態では、入庫の進行状況に応じて第１操作盤２０ａ及び第２操作盤２０ｂの操作有効及び操作無効を制御していた。本実施形態では、入庫処理の進行状況と、ユーザによる操作盤からの操作とに基づいて第１操作盤２０ａ及び第２操作盤２０ｂの操作有効及び操作無効を制御する。
以下、上述した第１実施形態と共通する点については説明を省略し、異なる点について主に説明する。
【００７２】
図１０は本実施形態における機械式立体駐車場の入庫処理の手順を示したフローチャートである。
ステップＳＡ１〜ＳＡ１１は上述した第１実施形態と同一であるので説明を省略する。本実施形態では、ステップＳＡ１１において通路扉１５を解錠した後、ステップＳＡ１２１において、第２操作盤の操作を有効とする。すなわち、上述した第１実施形態では、図７のステップＳＡ１２において、第１操作盤２０ａの操作を無効とし、第２操作盤２０ｂの操作を有効としていたところ、本実施形態では、第１操作盤２０ａも第２操作盤２０ｂも操作有効な状態とされる。これにより、ユーザは入出庫扉１１及び通路扉１５のどちらからでも退出可能となる。
そして、例えば、ユーザが入出庫扉１１を通じて乗降室５から退出した場合には、続くステップＳＡ１４における第３認証操作は第１操作盤２０ａからなされることとなり、また、ユーザが通路扉１５を通じて乗降室５から退出した場合には、第３認証操作は第２操作盤２０ｂからなされることとなる。
【００７３】
そして、第３認証操作が正常に完了すると（ステップＳＡ１５において「ＹＥＳ」）、ステップＳＡ１２２において、第３認証操作がされなかった操作盤を操作無効とする。これにより、例えば、ユーザが入出庫扉１１を介して乗降室５から退出し、第１操作盤２０ａから第３認証操作を行った場合には、ステップＳＡ１２２において、第２操作盤２０ｂの操作を無効とする。これに対し、例えば、ユーザが通路扉１５を介して乗降室５から退出し、第２操作盤２０ｂから第３認証操作を行った場合には、ステップＳＡ１２２において、第１操作盤２０ａの操作を無効とする。その後、第１実施形態と同様の処理が行われる（ステップＳＡ１７〜ＳＡ１９）。
【００７４】
このように、本実施形態に係る機械式立体駐車場及びその制御方法によれば、乗降室からの退路をユーザ自身が自由に選択することができる。これにより、ユーザの利便性をより向上させることが可能となる。
【００７５】
なお、上述した各実施形態においては、駐車場の契約者自身が入出庫における全ての操作を行うことを前提にしていたが、例えば、契約者の代わりに、駐車場の操作員が操作を行ってもよい。この場合、操作員にも固有のユーザ識別情報が付与されており、そのユーザ識別情報が記憶されたＩＣカードが貸与されている。また、認証データベース５２には、操作員のユーザ識別情報であることが識別できるように、操作員のユーザ識別情報が予め登録されている。また、操作員は、通常、入出庫扉側にいるため、操作員によって入出庫操作が行われる場合には、基本的には、第１操作盤２０ａから種々の操作が行われることとなる。
【００７６】
また、上述の第１〜第３認証操作を操作員が行った場合でも、閉扉の際の安全確認（例えば、図７のステップＳＡ１７）に関してはユーザ本人（運転手）が行わなければならない場合がある。この場合には、例えば、第１操作盤２０ａに、手動で第２操作盤２０ｂの操作を有効化するような機能有効化切替手段（例えば、入力ボタン等）を設けておき、この機能有効化切替手段が操作員によって操作された場合に、一時的に第２操作盤２０ｂの操作を有効化することとしてもよい。
【００７７】
この場合、安全確認操作を行う段階において、すなわち、図７のステップＳＡ１５とＳＡ１７との間に、操作員が第１操作盤２０ａに設けられている機能有効化切替手段を押す。これにより、第２操作盤２０ｂの表示部３１及びスピーカ３２から、安全確認を行った上で、安全確認ボタン４２を押すようにユーザへの指示が行われる。ユーザは、乗降室内に人がいないことを確認した上で、安全確認ボタン４２を押す。第２操作盤２０ｂにおいて安全確認ボタン４２が押されると、第２操作盤２０ｂにおける操作が再び無効化され、第１操作盤２０ａのみによる操作が可能とされる。
【００７８】
このようにすることで、操作員によって第１〜第３の認証操作が行われた場合でも、安全確認をユーザ本人に行わせることが可能となる。
また、上記例において、ユーザが安全確認ボタンを押す前に、ユーザが保有するＩＣカードを第２操作盤２０ｂのＩＣカードリーダ３４にかざすことにより、ユーザ認証を行うこととしてもよい。これにより、ユーザによって安全確認ボタン４２が押されたことを確認することができる。
【００７９】
また、上述した各実施形態においては、通路扉１５及び第２操作盤２０ｂが一つずつ設けられている場合を例示して説明したが、通路扉１５及び第２操作盤２０ｂは複数設けられていてもよい。
通路扉１５が複数存在する場合であって、ユーザが使用する通路扉１５を予め特定することができる場合、例えば、マンションのＡ棟及びＢ棟の間に機械式立体駐車場１が配置されている場合、Ａ棟の住人はＡ棟側通路扉を用い、Ｂ棟の住人はＢ棟側通路側扉を用いる場合が想定できる。このような場合には、各ユーザが使用する通路扉１５及び第２操作盤２０ｂの識別情報をユーザ識別情報に関連付けて予め登録しておき、登録されていない他の通路扉１５については入出庫処理が行われている期間中、施錠された状態を維持することしてもよい。また、使用されない通路扉１５の近傍に設けられている第２操作盤２０ｂについても、入出庫処理が行われている期間中、操作無効としてもよい。
【００８０】
また、通路扉１５が複数存在する場合には、入庫処理中にユーザが使用する通路扉１５を指定することとし、指定されなかった他の通路扉１５及びその通路扉の近傍に設けられている第２操作盤２０ｂについては、上記と同様の取り扱いとすればよい。
【００８１】
また、上記各実施形態では、図面を参照して入庫処理及び出庫処理の手順について説明したが、これらの手順は一例であり、本発明の主旨を逸脱しない範囲内において不要なステップを削除したり、新たなステップを追加したり、処理順序を入れ替えたりしてもよい。
【符号の説明】
【００８２】
１          ：機械式立体駐車場
３          ：入出庫口
５          ：乗降室
１１        ：入出庫扉
１５        ：通路扉
２０ａ      ：第１操作盤
２０ｂ      ：第２操作盤
３１        ：表示部
３２        ：スピーカ
３３        ：入力部
３４        ：ＩＣカードリーダ
４０ａ      ：操作盤制御部
４０ｂ      ：操作盤制御部
４１        ：テンキー操作部
４２        ：安全確認ボタン
４３        ：閉扉ボタン
４４        ：起動ボタン
５０        ：主制御部
５１        ：ユーザ認証部
５２        ：認証データベース
５３        ：操作盤機能制限部
５４        ：記憶部
５５        ：判定部
５６        ：扉制御部
５７        ：パレット駆動制御部
【図１】
2018123556.tif 000003
【図２】
2018123556.tif 000004
【図３】
2018123556.tif 000005
【図４】
2018123556.tif 000006
【図５】
2018123556.tif 000007
【図６】
2018123556.tif 000008
【図７】
2018123556.tif 000009
【図８】
2018123556.tif 000010
【図９】
2018123556.tif 000011
【図１０】
2018123556.tif 000012